【手続補正書】
【提出日】令和2年5月22日(2020.5.22)
【手続補正１】
【補正対象書類名】特許請求の範囲
【補正対象項目名】全文
【補正方法】変更
【補正の内容】
【特許請求の範囲】
【請求項１】
コンピュータに、携帯端末を制御する制御方法を実行させるプログラムを記憶する記憶媒体であって、
前記制御方法は、
ユーザ操作に基づいて、ユーザ名と、前記ユーザ名に対応するユーザを認証する認証サーバのドメイン名とを少なくとも含むユーザ情報を設定する設定工程と、
前記ユーザ情報に関連する情報を含む印刷データを画像処理装置へ送信する送信工程と、
前記画像処理装置へのログイン要求が前記ドメイン名を含む場合、前記ユーザ情報に含まれる前記ドメイン名を前記ログイン要求で使用するように決定し、前記ログイン要求が前記ドメイン名を含まない場合、前記ユーザ情報に含まれる前記ドメイン名を前記ログイン要求で使用しないように決定する決定工程と、
を有することを特徴とする記憶媒体。
【請求項２】
前記制御方法は、更に、
前記決定工程で前記ドメイン名を前記ログイン要求で使用するように決定された場合、前記ユーザ名と前記ドメイン名とに関連するユーザ情報を少なくとも含むログイン要求を前記画像処理装置に送信し、前記決定工程で前記ドメイン名を前記ログイン要求で使用しないように決定された場合、少なくとも前記ユーザ名を含み、前記ドメイン名を含まないログイン要求を前記画像処理装置に送信する送信工程を有することを特徴とする請求項１に記載の記憶媒体。
【請求項３】
前記制御方法は、更に、ユーザ操作に基づいて、前記画像処理装置が前記認証サーバでドメイン管理されるかどうか設定する設定工程を、有し、
前記決定工程は、前記設定工程での設定に従って、前記ログイン要求で前記ドメイン名を使用するかどうか決定することを特徴とする請求項１又は２に記載の記憶媒体。
【請求項４】
前記携帯端末の操作画面に表示された画面を介したユーザ操作に基づいて、前記設定工程における前記設定がなされることを特徴とする請求項３に記載の記憶媒体。
【請求項５】
前記制御方法は、更に、前記画像処理装置から当該画像処理装置の能力情報を取得する取得工程を有し、
前記決定工程は、前記能力情報に基づいて前記画像処理装置が前記認証サーバでドメイン管理されるかどうか決定し、当該決定に基づいて、前記ログイン要求で前記ドメイン名を使用するかどうか決定することを特徴とする請求項２に記載の記憶媒体。
【請求項６】
前記送信工程では、前記画像処理装置の能力情報のドメイン名と前記設定工程で設定されたドメイン名とが一致しない場合、前記画像処理装置のドメイン名と前記設定工程で設定されたユーザ名とを少なくとも含むログイン要求が送信されることを特徴とする請求項５に記載の記憶媒体。
【請求項７】
前記制御方法は、更に、前記画像処理装置の能力情報のドメイン名と前記設定工程で設定されたドメイン名とが一致しない場合に、前記ユーザ情報をリセットするようユーザに促す情報を表示する工程を、更に有することを特徴とする請求項６に記載の記憶媒体。
【請求項８】
前記設定工程における前記ユーザ情報の設定において、パスワードが前記ユーザ情報として設定可能であり、
前記パスワードが前記ユーザ情報に設定されると、前記送信工程で、前記パスワードに関する情報を含むログイン要求が送信されることを特徴とする請求項２に記載の記憶媒体。
【請求項９】
前記ドメイン名は、前記画像処理装置が外部の認証サーバを使用してユーザの認証を行う際に必要となるドメイン名であることを特徴とする請求項１乃至８のいずれか１項に記載の記憶媒体。
【請求項１０】
前記携帯端末は通信用の携帯端末であり、前記プログラムは前記通信用の携帯端末にインストールされるアプリケーションプログラムであることを特徴とする請求項１乃至９のいずれか１項に記載の記憶媒体。
【請求項１１】
前記送信工程における前記ログイン要求の送信において、前記ログイン要求は、前記携帯端末のＢｌｕｅｔｏｏｔｈ  Ｌｏｗ  Ｅｎｅｒｇｙインタフェースを介したＧＡＴＴ通信モバイルを使用して送信されることを特徴とする請求項２に記載の記憶媒体。
【請求項１２】
前記制御方法は、更に、前記画像処理装置がドメイン管理されているかどうかを決定するために前記画像処理装置からドメイン情報を取得する工程を有し、
前記ドメイン情報に基づいて、前記決定工程で、前記ドメイン名が前記ログイン要求で使用されるかどうかが決定されることを特徴とする請求項１乃至１１のいずれか１項に記載の記憶媒体。
【請求項１３】
携帯端末を制御する制御方法であって、
ユーザ操作に基づいて、ユーザ名と、前記ユーザ名に対応するユーザを認証する認証サーバのドメイン名とを少なくとも含むユーザ情報を設定する設定工程と、
前記ユーザ情報に関連する情報を含む印刷データを画像処理装置へ送信する送信工程と、
前記画像処理装置へのログイン要求が前記ドメイン名を含む場合、前記ユーザ情報に含まれる前記ドメイン名を前記ログイン要求で使用するように決定し、前記ログイン要求が前記ドメイン名を含まない場合、前記ユーザ情報に含まれる前記ドメイン名を前記ログイン要求で使用しないように決定する決定工程と、
を有することを特徴とする制御方法。
【請求項１４】
前記決定工程で前記ドメイン名を前記ログイン要求で使用するように決定された場合、前記ユーザ名と前記ドメイン名とに関連するユーザ情報を少なくとも含むログイン要求を前記画像処理装置に送信し、前記決定工程で前記ドメイン名を前記ログイン要求で使用しないように決定された場合、少なくとも前記ユーザ名を含み、前記ドメイン名を含まないログイン要求を前記画像処理装置に送信する送信工程と、を更に有することを特徴とする請求項１３に記載の制御方法。
【請求項１５】
ユーザ操作に基づいて、前記画像処理装置が前記認証サーバでドメイン管理されるかどうか設定する設定工程を、更に有し、
前記決定工程は、前記設定工程での設定に従って、前記ログイン要求で前記ドメイン名を使用するかどうか決定することを特徴とする請求項１３又は１４に記載の制御方法。
【請求項１６】
前記携帯端末の操作画面に表示された画面を介したユーザ操作に基づいて、前記設定工程における前記設定がなされることを特徴とする請求項１５に記載の制御方法。
【請求項１７】
前記画像処理装置から当該画像処理装置の能力情報を取得する取得工程を、更に有し、
前記決定工程は、前記能力情報に基づいて前記画像処理装置が前記認証サーバでドメイン管理されるかどうか決定し、当該決定に基づいて、前記ログイン要求で前記ドメイン名を使用するかどうか決定することを特徴とする請求項１４に記載の制御方法。
【請求項１８】
前記送信工程では、前記画像処理装置の能力情報のドメイン名と前記設定工程で設定されたドメイン名とが一致しない場合、前記画像処理装置のドメイン名と前記設定工程で設定されたユーザ名とを少なくとも含むログイン要求が送信されることを特徴とする請求項１７に記載の制御方法。
【請求項１９】
前記画像処理装置の能力情報のドメイン名と前記設定工程で設定されたドメイン名とが一致しない場合に、前記ユーザ情報をリセットするようユーザに促す情報を表示する工程を、更に有することを特徴とする請求項１８に記載の制御方法。
【請求項２０】
前記設定工程における前記ユーザ情報の設定において、パスワードが前記ユーザ情報として設定可能であり、
前記パスワードが前記ユーザ情報に設定されると、前記送信工程で、前記パスワードに関する情報を含むログイン要求が送信されることを特徴とする請求項１４に記載の制御方法。
【請求項２１】
携帯端末であって、
ユーザ操作に基づいて、ユーザ名と、前記ユーザ名に対応するユーザを認証する認証サーバのドメイン名とを少なくとも含むユーザ情報を設定する設定手段と、
前記ユーザ情報に関連する情報を含む印刷データを画像処理装置へ送信する送信手段と、
前記画像処理装置へのログイン要求が前記ドメイン名を含む場合、前記ユーザ情報に含まれる前記ドメイン名を前記ログイン要求で使用するように決定し、前記ログイン要求が前記ドメイン名を含まない場合、前記ユーザ情報に含まれる前記ドメイン名を前記ログイン要求で使用しないように決定する決定手段と、
を有することを特徴とする携帯端末。
【手続補正２】
【補正対象書類名】明細書
【補正対象項目名】発明の名称
【補正方法】変更
【補正の内容】
【発明の名称】携帯端末とその制御方法、及び記憶媒体
【手続補正３】
【補正対象書類名】明細書
【補正対象項目名】０００１
【補正方法】変更
【補正の内容】
【０００１】
本発明は、携帯端末とその制御方法、及び記憶媒体に関する。
【手続補正４】
【補正対象書類名】明細書
【補正対象項目名】００１１
【補正方法】変更
【補正の内容】
【００１１】
本発明の目的は、画像処理装置と連携する携帯端末において、連携に使用するユーザ情報を、画像形成装置における認証に応じて切り替えることができる技術を提供することを目的の１つとする。
【手続補正５】
【補正対象書類名】明細書
【補正対象項目名】００１３
【補正方法】変更
【補正の内容】
【００１３】
上記目的を達成するために本発明の一態様に係る記憶媒体は以下のような構成を備える。即ち、
コンピュータに、携帯端末を制御する制御方法を実行させるプログラムを記憶する記憶媒体であって、
前記制御方法は、
ユーザ操作に基づいて、ユーザ名と、前記ユーザ名に対応するユーザを認証する認証サーバのドメイン名とを少なくとも含むユーザ情報を設定する設定工程と、
前記ユーザ情報に関連する情報を含む印刷データを画像処理装置へ送信する送信工程と、
前記画像処理装置へのログイン要求が前記ドメイン名を含む場合、前記ユーザ情報に含まれる前記ドメイン名を前記ログイン要求で使用するように決定し、前記ログイン要求が前記ドメイン名を含まない場合、前記ユーザ情報に含まれる前記ドメイン名を前記ログイン要求で使用しないように決定する決定工程とを有することを特徴とする。